(57)【特許請求の範囲】
【請求項１】
布製で、略矩形の袋状であり、当該略矩形の一辺に沿って外布開閉手段を備える布団カバーであって、
略矩形の袋状に形成される布団カバーの外郭は、略矩形の一枚布である上布と、略矩形の一枚布である下布とを有し、当該略矩形を構成する四辺のうちの三辺が縫合されているとともに当該略矩形のうち残りの一辺に沿って外布開閉手段が設置されており、
略矩形の袋状に形成される布団カバーの内部に少なくとも１枚の中布を有し、
前記中布は、略矩形の袋状に形成される布団カバーの内部空間を面方向に分割し、また、
前記中布には、中布を開閉するための中布開閉手段が設置され、
前記中布の外周全周が、略矩形の袋状に形成される布団カバーを構成する前記下布に縫合されており、前記外布開閉手段によって閉じられることで形成される内部空間の内側に、さらに、前記中布開閉手段によって閉じられることで形成される第二の内部空間が形成され、
出し入れ可能な中材を布団カバーの内部空間に挿入したときに、前記外布開閉手段は布団カバーの側面における上下方向の略中央位置に配置するように構成されており、さらに、
前記中布開閉手段は、前記外布開閉手段を閉じた状態では外部から見えないことを特徴とする布団カバー。
【請求項２】
請求項１に記載の布団カバーにおいて、
前記中布開閉手段は、前記外布開閉手段が設置される一辺に沿って平行配置されることを特徴とする布団カバー。
【請求項３】
請求項１又は２に記載の布団カバーにおいて、
前記中布は、細長方形をした第一布と、太長方形をした第二布と、これら第一布と第二布とを開閉自在に連結する中布開閉手段とを有して構成されているとともに、当該中布全体で略矩形の一枚布として構成されることを特徴とする布団カバー。
【請求項４】
請求項１〜３のいずれか１項に記載の布団カバーにおいて、
前記上布と前記下布とからなる布団カバーの四隅には、三角形状をした耳形状部が形成されていることを特徴とする布団カバー。
【請求項５】
請求項１〜４のいずれか１項に記載の布団カバーにおいて、
前記外布開閉手段は、略矩形の袋状に形成される布団カバーの一つの長辺の全長に亘って設置されていることを特徴とする布団カバー。
【請求項６】
請求項１〜５のいずれか１項に記載の布団カバーが有する少なくとも２以上の内部空間のそれぞれに、同種又は異種の中材が入っていることを特徴とする布団。
【発明の詳細な説明】
【技術分野】
【０００１】
本発明は、布団カバーおよび布団の構造に関するものである。
【背景技術】
【０００２】
布団カバーは、綿やパンヤ、羽毛などから構成される中材を包んで布団とし、使用者が座ったり、使用者が寝る時に敷いたり掛けたりすることができるようにするものである。布団カバーを用いることによって、布団が汚れることを防ぐことができるとともに、布団カバーを定期的に洗濯することによって、布団を衛生的に使用することが可能となる。
【０００３】
布団カバーの中に挿入される中材は、使用者が快適に布団を使用することができるように種々のものが用いられている。例えば、下記の特許文献１には、種々の中材が内部に積層されている敷き布団および敷き布団の中芯構造が開示されている。下記特許文献１に記載の敷き布団は、一側面に冬等の寒い季節に対応した材質を積層し、他側面に夏等の暑い季節に合わせた材質を積層して中芯部を構成し、中芯部を中地に収納して、敷き布団カバーで包んでいる。また例えば、下記の特許文献２には、肌掛け布団と上掛け布団を接合した掛け布団が開示されている。下記特許文献２に記載の掛け布団は、布団カバーを被せた肌掛け布団にホックによって上掛布団が接合されて構成されている。
【先行技術文献】
【特許文献】
【０００４】
【特許文献１】特開平１０−１５５６０３号公報
【特許文献２】特開２００１−２１１９８０号公報
【発明の概要】
【発明が解決しようとする課題】
【０００５】
しかしながら、上掲の特許文献１に記載の敷き布団では、使用者の動きによって種々の中材同士に摩擦が生じてしまうという課題があった。また、種々の中材のうちの一又はそれ以上の中材の交換を行うことが難しく、複数の中材のそれぞれの出し入れを容易にした布団カバーの実現が望まれていた。
【０００６】
また、上掲の特許文献２に記載の掛け布団は、肌掛け布団にのみ布団カバーを被せているため、上掛け布団が汚れることを防ぐことができないという課題があった。また、単に布団カバーを被せた肌掛け布団と上掛け布団とを一体化しただけでは意匠性が優れていないという課題があった。
【０００７】
本発明は、上述した課題の存在に鑑みて成されたものであり、その目的は、複数の中材を容易に出し入れすることができるとともに安定した状態で収納することができる、意匠性が優れた布団カバーおよび布団を提供することにある。
【課題を解決するための手段】
【０００８】
本発明に係る布団カバーは、布製で、略矩形の袋状であり、当該略矩形の一辺に沿って外布開閉手段を備える布団カバーであって、略矩形の袋状に形成される布団カバーの外郭は、略矩形の一枚布である上布と、略矩形の一枚布である下布とを有し、当該略矩形を構成する四辺のうちの三辺が縫合されているとともに当該略矩形のうち残りの一辺に沿って外布開閉手段が設置されており、略矩形の袋状に形成される布団カバーの内部に少なくとも１枚の中布を有し、前記中布は、略矩形の袋状に形成される布団カバーの内部空間を面方向に分割し、また、前記中布には、中布を開閉するための中布開閉手段が設置され、前記中布の外周全周が、略矩形の袋状に形成される布団カバーを構成する前記下布に縫合されており、前記外布開閉手段によって閉じられることで形成される内部空間の内側に、さらに、前記中布開閉手段によって閉じられることで形成される第二の内部空間が形成され、出し入れ可能な中材を布団カバーの内部空間に挿入したときに、前記外布開閉手段は布団カバーの側面における上下方向の略中央位置に配置するように構成されており、さらに、前記中布開閉手段は、前記外布開閉手段を閉じた状態では外部から見えないことを特徴とするものである。
【０００９】
また、本発明に係る布団カバーは、前記中布開閉手段が、前記外布開閉手段が設置される一辺に沿って平行配置されることとすることができる。
【００１０】
さらに、本発明に係る布団カバーは、前記中布が、細長方形をした第一布と、太長方形をした第二布と、これら第一布と第二布とを開閉自在に連結する中布開閉手段とを有して構成されているとともに、当該中布全体で略矩形の一枚布として構成されることとすることができる。
【００１２】
また、本発明に係る布団カバーは、前記上布と前記下布とからなる布団カバーの四隅に、三角形状をした耳形状部が形成されていることとすることができる。
【００１３】
さらに、本発明に係る布団カバーは、前記外布開閉手段が、略矩形の袋状に形成される布団カバーの一つの長辺の全長に亘って設置されていることとすることができる。
【００１４】
なお、本発明に係る布団は、上述した布団カバーが有する少なくとも２以上の内部空間のそれぞれに、同種又は異種の中材が入っていることを特徴とするものである。
【発明の効果】
【００１５】
本発明によれば、複数の中材を容易に出し入れすることができるとともに安定した状態で収納することができる、意匠性が優れた布団カバーおよび布団を提供することができる。
【図面の簡単な説明】
【００１６】
【図１】本実施形態に係る布団カバーの構成例を示す一部断面外観斜視図である。
【図２】本実施形態に係る布団カバーの耳形状部の周辺を示す図であり、図中の分図（ａ）は、本実施形態に係る布団カバーを裏返して耳形状部を表した図であり、図中の分図（ｂ）は、図中の分図（ａ）の状態から布団カバーを裏返した耳形状部の周辺を示す図である。
【図３】本実施形態に係る中布を示す外観斜視図である。
【図４】本実施形態に係る布団カバーの構成例を説明するための横断面概略図である。
【図５】本実施形態に係る布団カバーの外布開閉手段および中布開閉手段を開いた状態を示す外観斜視図である。
【図６】本実施形態に係る布団カバーの中布開閉手段を閉じた状態を示す外観斜視図である。
【図７】本実施形態に係る布団カバーに２つの中材を挿入した状態を説明するための横断面概略図である。
【図８】本実施形態に係る布団カバーを示す写真図である。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
まず、本実施形態に係る布団カバー１０の構成例について、図１〜図４を用いて説明する。ここで、図１は、本実施形態に係る布団カバーの構成例を示す一部断面外観斜視図である。また、図２は、本実施形態に係る布団カバーの耳形状部の周辺を示す図であり、図中の分図（ａ）は、本実施形態に係る布団カバーを裏返して耳形状部を表した図であり、図中の分図（ｂ）は、図中の分図（ａ）の状態から布団カバーを裏返した耳形状部の周辺を示す図である。図３は、本実施形態に係る中布を示す外観斜視図であり、図４は、本実施形態に係る布団カバーの構成例を説明するための横断面概略図である。
【００１９】
図１に示すように、本実施形態に係る布団カバー１０の外郭は、略矩形の一枚布である上布１１と、略矩形の一枚布である下布１２とが縫製結合されることにより略矩形の袋状に形成される。そして、本実施形態に係る布団カバー１０は、略矩形の一辺に沿って配置される外布開閉手段１５と、布団カバー１０の内部に縫合される中布３１と、中布３１を開閉するための中布開閉手段３５と、を有して構成される。
【００２０】
本実施形態に係る布団カバー１０は、上布１１と下布１２とで構成される略矩形の四辺のうちの三辺が縫合され、当該略矩形のうち残りの一つの辺の全長に亘って外布開閉手段１５が設置される。外布開閉手段１５は、出し入れ可能な中材５０，５１を、後述する布団カバー１０の内部空間１９，３９に挿入したときに、布団カバー１０の側面における上下方向の略中央位置に配置するように構成される。
【００２１】
本実施形態に係る布団カバー１０の四隅は、図２に示すように、三角形状をした耳形状部２０が形成されるように縫合されている。本実施形態では、上布１１と下布１２とを縫合して略矩形の袋状とする際、四隅には縫い代が生じる。この縫い代を外布開閉手段１５の長手方向の両端部と略平行となるように縫合し、図２に示すように、外布開閉手段１５の端部と略平行となる縫い目２１を形成する。このように、縫い代に縫い目２１を形成することによって三角形状となる耳形状部２０が形成される。そして、本実施形態に係る布団カバー１０は、その四隅に耳形状部２０が形成されることにより、耳形状部２０の三角形状の一辺となる縫い目２１の長さ分の厚みを有する２つの中材５０，５１を、特に中材５０，５１の四隅が潰れることなく挿入することができるようになっている。したがって、本実施形態に係る布団カバー１０によれば、その内部に挿入される中材５０，５１の、特に四隅のへたり等を防ぐことができるとともに、その内部に中材５０，５１を挿入する際、布団カバー１０の四隅に中材５０，５１を容易に挿入して収納することができるようになっている。なお、本実施形態に係る布団カバー１０に１つの中材を入れる場合には、特に限定されないが、１つの中材の厚さが耳形状部２０の縫い目２１の長さと略同一になっていることが好ましい。
【００２２】
外布開閉手段１５は、上布１１と下布１２とで構成される外布１３を開閉自在に連結するためのものであり、上述した様に、本実施形態に係る布団カバー１０の略矩形の四辺のうちの縫合されていない一つの長辺の全長に亘って設置される。本実施形態では、特に限定されないが、外布開閉手段１５としてスライドファスナーを用いている。外布開閉手段１５としてスライドファスナーを用いる場合には、互いに噛み合う樹脂や金属などの小片が配置された２本のファスナーテープ１６，１６を、布団カバー１０の略矩形状を構成する四辺のうちの縫合されていない一辺の上布１１および下布１２の端に設置することとなる（図２参照）。そして、２本のファスナーテープ１６，１６の長手方向の両端部は縫い合わされ、当該２本のファスナーテープ１６，１６の両端部同士が接続されることとなる。本実施形態では、２本のファスナーテープ１６，１６が連結された端部の一方に、１つのスライダー１７が配置される（図１、図２、図５および図６参照）。スライダー１７を移動させることにより、ファスナーテープ１６に配置される樹脂や金属などの小片が互いに噛み合い、外布開閉手段１５としてのスライドファスナーは、上布１１と下布１２とを開閉自在に連結することができるようになっている。
【００２３】
そして、この外布開閉手段１５を閉じることによって、布団カバー１０の内部に内部空間１９が形成されることとなる（図４参照）。
【００２４】
中布３１は、図３に示すように、細長方形をした第一布３２と、太長方形をした第二布３３と、これら第一布３２と第二布３３とを開閉自在に連結する中布開閉手段３５と、を有し、当該中布３１全体で略矩形の一枚布として構成される。
【００２５】
中布開閉手段３５は、第一布３２と第二布３３とを開閉自在に連結するためのものである。図１に示すように、中布開閉手段３５は、外布開閉手段１５が設置される一辺に沿って平行配置されているとともに、外布開閉手段１５を閉じた状態では外部から見えない構成となっている。本実施形態では、中布開閉手段３５としてスライドファスナーを用いている。中布開閉手段３５としてスライドファスナーを用いる場合には、上述した場合と同様に、互いに噛み合う樹脂や金属などの小片が配置された２本のファスナーテープ３６，３６を、第一布３２および第二布３３の端に設置することとなる（図３参照）。そして、２本のファスナーテープ３６，３６の長手方向の両端部は縫い合わされ、当該２本のファスナーテープ３６，３６の両端部同士が接続されることとなる。本実施形態では、２本のファスナーテープ３６，３６が接続された端部の一方に、１つのスライダー３７が配置される（図３参照）。スライダー３７を移動させることにより、樹脂や金属などの小片が互いに噛み合い、中布開閉手段３５としてのスライドファスナーは、第一布３２と第二布３３とを開閉自在に連結することができるようになっている。
【００２６】
そして、中布３１は、その外周全周が、略矩形の袋状に形成される布団カバー１０の内部に縫合されることにより、外布開閉手段１５によって閉じられることで形成される布団カバー１０の内部空間１９を面方向に分割することとなる。さらに、中布開閉手段３５を閉じることによって内部空間１９の内側に第二の内部空間３９が形成されるようになっている。
【００２７】
図４に示すように、本実施形態に係る中布３１は、特に限定されないが、略矩形の袋状に形成される布団カバー１０の外布１３の底面部分（下布１２）にその外周全周が縫合されている。そして、本実施形態に係る布団カバー１０では、中布開閉手段３５が閉じられることで形成される第二の内部空間３９と、外布開閉手段１５が閉じられることで形成される内部空間１９のうち第二の内部空間３９を除いた内部空間１９と、に２つの中材５０，５１を挿入することができるようになっている。
【００２８】
以上、本実施形態に係る布団カバー１０の構成例について、説明した。次に、本実施形態に係る布団カバー１０の使用方法について、図５〜図８を参照図面に加えて説明する。ここで、図５は、本実施形態に係る布団カバーの外布開閉手段および中布開閉手段を開いた状態を示す外観斜視図であり、図６は、本実施形態に係る布団カバーの中布開閉手段を閉じた状態を示す外観斜視図である。また、図７は、本実施形態に係る布団カバーに２つの中材を挿入した状態を説明するための横断面概略図であり、図８は、本実施形態に係る布団カバーを示す写真図である。
【００２９】
本実施形態に係る布団カバー１０に、同種又は異種の中材５０，５１を挿入するためには、図５に示すように、外布開閉手段１５および中布開閉手段３５を開いた状態とする。外布開閉手段１５および中布開閉手段３５を開くことにより、中材５０，５１を挿入することができる開口が形成され、内部空間１９および第二の内部空間３９が開放されることとなる。
【００３０】
順序は特に限定されないが、例えば図６に示すように、第二の内部空間３９に中材５１を挿入して中布開閉手段３５を閉じることにより、１つの中材５１が布団カバー１０内に収納されることとなる（図４、図６および図７参照）。さらに、図６に示した状態の布団カバー１０において、内部空間１９に中材５０を挿入して外布開閉手段１５を閉じることにより、もう１つの中材５０が布団カバー１０に収納され、図７および図８に示すように、２つの中材５０，５１の布団カバー１０内への収納が完了する。このようにして、布団カバー１０が有する２つの内部空間１９，３９のそれぞれに、同種又は異種の中材５０，５１を挿入して布団１００が構成される。なお、最初に、内部空間１９に中材５０を挿入した後、第二の内部空間３９に中材５１を挿入しても良いことは言うまでもない。
【００３１】
本実施形態に係る布団カバー１０は、上述した様に、中布開閉手段３５が、外布開閉手段１５が設置される一辺に沿って平行配置されているので、一度に２つの中材５０，５１を布団カバー１０に挿入する場合、使用者は中布開閉手段３５と外布開閉手段１５とが平行配置されている布団カバー１０の一辺の近傍のみで作業すれば良い。したがって、使用者が布団カバー１０の別の一辺の近傍に移動したり、又は布団カバー１０の別の一辺が使用者の近傍に来るように布団カバー１０をひっくり返したりする必要がなく、本実施形態に係る布団カバー１０によれば、複数の中材５０，５１を容易に入れることができるようになっている。
【００３２】
本実施形態に係る布団カバー１０に対して収納される中材５０，５１は、種々の材質のものを用いることができる。例えば、クッション性に優れた中材５０と、吸湿性に優れた中材５１との組み合わせによって、クッション性と吸湿性に共に優れた布団１００を提供することができる。また、本実施形態に係る布団カバー１０によれば、中材５０，５１の組み合わせを種々変更するだけで、使用者の嗜好や体型、健康状態等に応じた布団１００を簡単かつ安価に準備することができるので、販売競争力の高い布団１００を提供することが可能となる。
【００３３】
なお、中材５０，５１は、剥き出しのままのものを布団カバー１０に対して収納するだけでなく、カバーに包まれた中材５０，５１を、さらに本実施形態に係る布団カバー１０に対して収納するようにしても良い。
【００３４】
また、本実施形態に係る布団カバー１０では、図７に示すように、第二の内部空間３９に挿入することができる中材５１の横幅は、第二の内部空間３９を除く内部空間１９に挿入することができる中材５０の横幅よりも僅かに小さくなっている。しかし、本実施形態に係る布団カバー１０はある程度の伸縮性を備えているので、収納される中材５０，５１の幅寸法については、略同一のものを用いることも可能である。
【００３５】
内部空間１９に収納された中材５０を取り出す際には、外布開閉手段１５を開いて内部空間１９から中材５０を取り出すこととなる。一方、第二の内部空間３９に収納された中材５１を取り出す際には、外布開閉手段１５を開いた後、中布開閉手段３５を開いて第二の内部空間３９から中材５１を取り出すこととなる。なお、外布開閉手段１５を開くと大きな開口ができるため、第二の内部空間３９から中材５１を取り出す際には、内部空間１９に収納されている中材５０を取り出すことなく、第二の内部空間３９から中材５１を取り出すことができるようになっている。したがって、本実施形態に係る布団カバー１０によれば、中材５０，５１を１つずつ容易に取り出すことができるようになっている。
【００３６】
また、上述した場合と同様に、本実施形態に係る布団カバー１０では、中布開閉手段３５が、外布開閉手段１５が設置される一辺に沿って平行配置されているので、一度に２つの中材５０，５１を布団カバー１０から取り出す場合、使用者が布団カバー１０の別の一辺の近傍に移動したり、又は布団カバー１０の別の一辺が使用者の近傍に来るように布団カバー１０をひっくり返したりする必要がなく、複数の中材５０，５１を容易に取り出すことができるようになっている。
【００３７】
以上、本実施形態に係る布団カバー１０の使用方法について、説明した。
【００３８】
本実施形態に係る布団カバー１０によれば、中材５０，５１がそれぞれ外布１３又は中布３１によって収納される構成となっているので、中材５０，５１同士が擦れて傷んでしまうことを防ぐことができるとともに、中材５０，５１同士が接触することで一方の中材の汚れが他方の中材に伝播してしまうことを防ぐことができるようになっている。また、本実施形態に係る布団カバー１０によれば、使用者の好みや用途、使用環境等に応じて、同種又は異種の中材を布団カバー１０内に容易に出し入れして、使用することができるようになっている。そして、本実施形態に係る布団カバー１０が、中材５０，５１を容易に出し入れすることができることによって、使用者は、布団カバー１０を定期的に洗濯することができるとともに、中材５０，５１を外気に当てて干すことができるので、布団カバー１０および布団１００を衛生的に使用することができる。さらに、本実施形態に係る布団カバー１０は、中布開閉手段３５が、外布開閉手段１５を閉じた状態では外部から見えない構成としているため、複数の中材５０，５１を収納しても、意匠性が優れているという特徴を有している。
【００３９】
以上、本発明の好適な実施形態について説明したが、本発明の技術的範囲は上記実施形態に記載の範囲には限定されない。上記実施形態には、多様な変更又は改良を加えることが可能である。
【００４０】
例えば、本実施形態に係る布団カバー１０では、２つの中材５０，５１が布団カバー１０内に収納されることとしているが、布団カバー１０の中に収納する中材の個数は適宜変更することができる。
【００４１】
本実施形態に係る布団カバー１０の中に１つの中材を収納する場合には、上述した様に、１つの中材の厚さが耳形状部２０の縫い目２１の長さと略同一となっていることが好ましく、１つの中材を内部空間１９に挿入して収納することが好ましい。
【００４２】
さらに、例えば３つの中材を布団カバー内に収納する場合には、本実施形態に係る布団カバー１０の内部に第二の中布を設置すれば良い。第二の中布は、上述した中布３１と同様に、細長方形をした第一布、太長方形をした第二布と、これら第一布と第二布とを開閉自在に連結する第二の中布開閉手段と、を有して構成すれば良く、略矩形の袋状に形成される布団カバー１０の内部空間１９又は第二の内部空間３９を面方向に分割するように構成することができる。すなわち、第二の中布は、布団カバー１０の外布１３の側面部分に縫合しても良いし、布団カバー１０の外布１３の底面部分（下布１２）に縫合しても良い。そして、上述した場合と同様に、内部空間１９に中材５０を収納し、第二の内部空間３９に中材５１を収納して、第二の中布の中に形成される第三の内部空間に１つの中材を挿入して収納すれば良い。３つ以上の中材を布団カバーに収納する場合には、上述した場合と同様に、布団カバーの内部に中布をさらに設置して、追加された中布の内部に中材を挿入して収納すれば良い。
【００４３】
また、例えば、本実施形態に係る布団カバー１０では、中布３１が、略矩形の袋状に形成される布団カバー１０の外布１３の底面部分（下布１２）にその外周全周が縫合される構成としているが、中布３１は布団カバー１０の内部に設置されれば良く、例えば、中布３１が布団カバー１０の外布１３の側面部分に縫合される構成としても良い。
【００４４】
さらに、本実施形態に係る布団カバー１０では、図１および図５に示すように、外布開閉手段１５と中布開閉手段３５とは、開閉方向（スライダー１７，３７の移動方向）が同一方向となるように構成されている。しかし、外布開閉手段１５と中布開閉手段３５とは、開閉方向（スライダー１７，３７の移動方向）が、反対方向であることとすることができる。例えば、図６に示すように、使用者が外布開閉手段１５としてのスライドファスナーのスライダー１７を移動させてスライドファスナーを開いたときに、使用者の手の近傍に中布開閉手段３５のスライダー３７が配置されることとすることができる。すなわち、外布開閉手段１５のスライダー１７を、図６の紙面上の左から右方向に移動させることで外布開閉手段１５が開くこととし、中布開閉手段３５のスライダー３７を、図６の紙面上の右から左方向に移動させることで中布開閉手段３５が開くこととすることができる。逆も同様に、中布開閉手段３５のスライダー３７を、図６の紙面上の左から右方向に移動させることにより中布開閉手段３５が閉じることとし、外布開閉手段１５のスライダー１７を、図６の紙面上の右から左方向に移動させることで外布開閉手段１５が閉じることとすることができる。このような構成により、使用者が一度に外布開閉手段１５と中布開閉手段３５とを開く又は閉じる際に、使用者の手の移動動作の動線を短くすることができるようになる。
【００４５】
また、本実施形態に係る布団カバー１０では、図１および図５に示すように、外布開閉手段１５としてのスライドファスナーと中布開閉手段３５としてのスライドファスナーは、１つのスライダー１７，３７を備えて構成されているが、スライダーの個数は適宜変更することができる。例えば、外布開閉手段１５としてのスライドファスナーと中布開閉手段３５としてのスライドファスナーとは、それぞれ２つのスライダーを有することとすることができる。このような構成により、使用者は、所望の位置で２つのスライダーを隣接させて外布開閉手段１５又は中布開閉手段３５を閉じることができ、また、所望の位置から２つのスライダーを移動させて外布開閉手段１５又は中布開閉手段３５を開くことができるようになる。
【００４６】
また、上述した本実施形態では、開閉手段としてスライドファスナーを用いる場合を例示した。しかしながら、本発明に係る開閉手段（外布開閉手段、中布開閉手段）については、従来公知の開閉手段を用いることができ、例えば、アメリカンホックやボタン、中かぶせ縫い、ヒモ（両方からヒモを出し中央で結ぶ形態のもの）など、あらゆる開閉手段を採用することが可能である。
【００４７】
さらに、本実施形態に係る布団カバー１０では、布団カバー１０の外郭は、略矩形の一枚布である上布１１と、略矩形の一枚布である下布１２とを縫合して略矩形の袋状に形成することとしているが、布団カバー１０の外郭は、一枚の布を縫合して略矩形の袋状としても良い。一枚の布を縫合して略矩形の袋状とする場合には、四隅に縫い代が存在しないため耳形状部２０を有さないこととなる。しかし、布団カバーの四隅には、耳形状部２０に係る縫い目２１が形成されることが好ましい。すなわち、布団カバーの四隅に、布団カバーの厚み方向に縫い目２１を形成することが好ましい。このような構成により、縫い目２１の長さ分の厚みを有する２つの中材５０，５１を、特に中材５０，５１の四隅が潰れることなく挿入することができるようになるとともに、布団カバーの中に中材５０，５１を挿入する際、布団カバーの四隅に中材５０，５１を容易に挿入して収納することができるようになる。
【００４８】
また、本実施形態に係る布団カバー１０の外郭形状は、矩形状に限定されず、円形等にすることができる。そして例えば、略円形状の布団カバーは、一枚布である上布と、略円形状の中布と、一枚布である下布と、外布開閉手段と、から構成することができる。さらに、上布と下布とを縫合して略円形状として、当該略円形状の側面に外布開閉手段を設置することができる。略円形状の中布は、中布開閉手段を有して構成され、略円形状の布団カバーの内部にその外周全周を縫合することにより設置することができる。そして、このような構成の略円形状の布団カバーは、外布開閉手段によって閉じられることで形成される内部空間と、中布開閉手段によって閉じられることで形成される第二の内部空間とに、複数の略円形状の中材を挿入して収納することができることとすることが可能である。
【００４９】
さらに、本実施形態に係る布団カバー１０は、図２等でも例示したように、マチ付きの形態を採るものであったが、本発明は、マチ付きの布団カバーに限られるものではなく、例えば、マチ付きでない布団カバーや、上述した実施形態とは異なる別の方法でマチを付けたものであっても良い。すなわち、本発明に係る布団カバーは、上述した本実施形態で説明した構成を備え、同様の作用効果を発揮できる範囲において、あらゆる製法で製作することが可能である。
【００５０】
またさらに、本実施形態に係る布団カバー１０は、掛け布団や敷き布団、座布団、クッション等に適用することができる。
【００５１】
その様な変更又は改良を加えた形態も本発明の技術的範囲に含まれ得ることが、特許請求の範囲の記載から明らかである。
【符号の説明】
【００５２】
１０  布団カバー、１１  上布、１２  下布、１３  外布、１５  外布開閉手段、１６，３６  ファスナーテープ、１７，３７  スライダー、１９  内部空間、２０  耳形状部、２１  縫い目、３１  中布、３２  第一布、３３  第二布、３５  中布開閉手段、３９  第二の内部空間、５０，５１  中材、１００  布団。
【要約】      （修正有）【課題】複数の中材を容易に出し入れすることができるとともに安定した状態で収納することができる、意匠性が優れた布団カバーおよび布団を得る。【解決手段】布団カバー１０は、布を縫合することによって略矩形の袋状に形成されるとともに略矩形の一辺に沿って外布開閉手段１５を備えるものであって、略矩形の袋状に形成される布団カバー１０の内部に少なくとも１枚の中布３１を有し、中布３１は、略矩形の袋状に形成される布団カバー１０の内部空間を面方向に分割し、また、中布３１には、中布３１を開閉するための中布開閉手段３５が設置され、さらに、中布開閉手段３５は、外布開閉手段１５を閉じた状態では外部から見えないものである。また、この布団１００は、布団カバー１０が有する少なくとも２以上の内部空間のそれぞれに、同種又は異種の中材を挿入して構成される。【選択図】図１【図１】
0005828977.tif 000002
【図２】
0005828977.tif 000003
【図３】
0005828977.tif 000004
【図４】
0005828977.tif 000005
【図５】
0005828977.tif 000006
【図６】
0005828977.tif 000007
【図７】
0005828977.tif 000008
【図８】
0005828977.tif 000009